(57)【要約】【課題】  適切なオーバードライブを可能とする技術を提供することを目的とする。【解決手段】  次に表示するフレームにおける画素階調値と、その１つ前のフレームにおける画素階調値と、二つ前のフレームにおける画素階調値に基づいて、静的オーバードライブ・ルックアップテーブル、又は動的オーバードライブ・ルックアップテーブルを選択して参照することによって、適切なオーバードライブ階調値を取得する。それにより、動画の表示品質を効果的に向上させることができる。【選択図】図４Ａ
2006243729.tif 000002
【特許請求の範囲】
【請求項１】
液晶ディスプレイパネルに使用され、画素の複数のフレームにおける複数の画素階調値を入力し、オーバードライブ階調値を出力するオーバードライブ装置であって、
前記複数の画素階調値を記憶する記憶手段と、
前記記憶手段に接続されており、次に表示するフレームの２つ前のフレームにおける前記画素の画素階調値と、次に表示するフレームの１つ前のフレームにおける前記画素の画素階調値との異同に基づいて、オーバードライブ・ルックアップテーブルを少なくとも１つ選択するとともに、次に表示するフレームにおける前記画素の画素階調値と、前記１つ前のフレームにおける前記画素の画素階調値に基づいて、選択した前記オーバードライブ・ルックアップテーブルを参照してオーバードライブ階調値を出力するオーバードライブ選択手段と、
を備えるオーバードライブ装置。
【請求項２】
前記オーバードライブ選択手段が、
次に表示するフレームにおける前記画素の画素階調値を順次入力し、その一つ前の１つ前のフレームにおける前記画素の画素階調値と比較し、両者の異同を記述する比較結果値を順次出力する比較手段と、
前記比較手段に接続されており、次に表示するフレームと１つ前のフレームとから得られた前記比較結果値を記録するとともに、次に表示するフレームの１つ前のフレームと２つ前のフレームとから得られた前記比較結果値を出力する動的記録手段と、
前記動的記録手段に接続されており、次に表示するフレームにおける画素階調値と、次に表示するフレームの１つ前のフレームにおける画素階調値に基づいて、静的オーバードライブ・ルックアップテーブルを参照して静的オーバードライブ階調値を取得するとともに動的オーバードライブ・ルックアップテーブルを参照して動的オーバードライブ階調値を取得し、１つ前のフレームと２つ前のフレームとから得られた前記比較結果値に基づいて、取得した静的オーバードライブ階調値と動的オーバードライブ階調値のいずれかを選択して前記オーバードライブ階調値を出力する選択ルックアップ手段と、を備えることを特徴とする請求項１のオーバードライブ装置。
【請求項３】
前記選択ルックアップ手段は、前記比較結果値が前記２つ前のフレームにおける画素階調値と前記１つ前のフレームにおける画素階調値とが等しいことを示しているときに、前記静的オーバードライブ階調値を選択して出力することを特徴とする請求項２のオーバードライブ装置。
【請求項４】
前記選択ルックアップ手段は、前記比較結果値が前記２つ前のフレームにおける画素階調値と前記１つ前のフレームにおける画素階調値とが異なることを示しているときに、前記動的オーバードライブ階調値を選択して出力することを特徴とする請求項２又は３のオーバードライブ装置。
【請求項５】
前記オーバードライブ選択手段が、
次に表示するフレームにおける前記画素の画素階調値を順次入力し、その一つ前の１つ前のフレームにおける前記画素の画素階調値と比較し、両者の異同を記述する比較結果値を順次出力する比較手段と、
前記比較手段に接続されており、次に表示するフレームと１つ前のフレームとから得られた前記比較結果値を記録するとともに、次に表示するフレームの１つ前のフレームと２つ前のフレームとから得られた前記比較結果値を出力する動的記録手段と、
次に表示するフレームにおける前記画素の画素階調値と、その１つ前のフレームにおける前記画素の画素階調値に基づいて、静的オーバードライブ・ルックアップテーブルを参照して静的オーバードライブ階調値を出力するオーバードライブ・ルックアップ手段と、
前記動的記録手段に接続されており、次に表示するフレームの１つ前のフレームと２つ前のフレームとから得られた前記比較結果値と、動的補正ルックアップテーブルとに基づいて、前記静的オーバードライブ階調値を補正して前記オーバードライブ階調値を出力する選択補正手段と、を備えることを特徴とする請求項１のオーバードライブ装置。
【請求項６】
前記選択補正手段は、前記比較結果値が前記２つ前のフレームにおける画素階調値と前記１つ前のフレームにおける画素階調値とが等しいことを示しているときに、前記静的オーバードライブ階調値を補正することなく出力することを特徴とする請求項５のオーバードライブ装置。
【請求項７】
前記選択補正手段は、前記比較結果値が前記２つ前のフレームにおける画素階調値と前記１つ前のフレームにおける画素階調値とが異なることを示しているときに、次に表示するフレームにおける前記画素の画素階調値とその１つ前のフレームにおける前記画素の画素階調値を用いて前記動的補正ルックアップテーブルから動的補正階調値を取得し、取得した動的補正階調値を用いて前記静的オーバードライブ階調値を補正することを特徴とする請求項５又は６のオーバードライブ装置。
【請求項８】
前記オーバードライブ選択手段が、
次に表示するフレームにおける前記画素の画素階調値を順次入力し、その一つ前の１つ前のフレームにおける前記画素の画素階調値と比較し、両者の異同を記述する比較結果値を順次出力する比較手段と、
前記比較手段に接続されており、次に表示するフレームと１つ前のフレームとから得られた前記比較結果値を記録するとともに、次に表示するフレームの１つ前のフレームと２つ前のフレームとから得られた前記比較結果値を出力する動的記録手段と、
前記動的記録手段に接続されており、１つ前のフレームと２つ前のフレームとから得られた前記比較結果値と、次に表示するフレームにおける前記画素の画素階調値と、その１つ前のフレームにおける前記画素の画素階調値に基づいて、三次元オーバードライブ・ルックアップテーブルを参照して前記オーバードライブ階調値を出力する三次元オーバードライブ・ルックアップ手段と、を備えることを特徴とする請求項１のオーバードライブ装置。
【請求項９】
前記オーバードライブ選択手段が、
次に表示するフレームにおける前記画素の画素階調値を順次入力し、その一つ前の１つ前のフレームにおける前記画素の画素階調値と比較し、両者の異同を記述する比較結果値を順次出力する比較手段と、
前記比較手段に接続されており、次に表示するフレームと１つ前のフレームとから得られた前記比較結果値を記録するとともに、次に表示するフレームの１つ前のフレームと２つ前のフレームとから得られた前記比較結果値を出力する動的記録手段と、
次に表示するフレームにおける前記画素の画素階調値と、その１つ前のフレームにおける前記画素の画素階調値に基づいて、静的オーバードライブ・ルックアップテーブルを参照して静的オーバードライブ階調値を出力するオーバードライブ・ルックアップ手段と、
前記動的記録手段に接続されており、１つ前のフレームと２つ前のフレームとから得られた前記比較結果値と、次に表示するフレームにおける前記画素の画素階調値と、その１つ前のフレームにおける前記画素の画素階調値に基づいて、三次元動的補正ルックアップテーブルを参照して動的補正階調値を取得し、取得した動的補正階調値を用いて前記静的オーバードライブ階調値を補正して前記オーバードライブ階調値を出力する三次元選択補正手段と、を備えることを特徴とする請求項１のオーバードライブ装置。
【請求項１０】
前記比較手段は、次に表示するフレームにおける前記画素の画素階調値と、次に表示するフレームの１つ前のフレームにおける前記画素の画素階調値との差分が、予め設定されている少なくもと２つの範囲のいずれにあるのか判断し、判断した範囲に応じた比較結果値を出力することを特徴とする請求項２から９のいずれかのオーバードライブ装置。
【請求項１１】
液晶ディスプレイパネルに使用され、画素の複数のフレームにおける複数の画素階調値を入力し、オーバードライブ階調値を出力するオーバードライブ装置であって、
前記複数の画素階調値を記憶する記憶手段と、
前記記憶手段に接続されており、次に表示するフレームにおける前記画素の画素階調値と、次に表示するフレームの１つ前のフレームにおける前記画素の画素階調値と、次に表示するフレームの２つ前のフレームにおける前記画素の画素階調値に基づいて、少なくとも１つのオーバードライブ・ルックアップテーブルを参照してオーバードライブ階調値を出力するオーバードライブ・ルックアップ手段と、
を備えるオーバードライブ装置。
【請求項１２】
前記オーバードライブ・ルックアップ手段が、次に表示するフレームにおける前記画素の画素階調値と、次に表示するフレームの１つ前のフレームにおける前記画素の画素階調値と、次に表示するフレームの２つ前のフレームにおける前記画素の画素階調値に基づいて、三次元オーバードライブ・ルックアップテーブルを参照して前記オーバードライブ階調値を出力することを特徴とする請求項１１のオーバードライブ装置。
【請求項１３】
前記オーバードライブ・ルックアップ手段が、
次に表示するフレームにおける前記画素の画素階調値と、次に表示するフレームの１つ前のフレームにおける前記画素の画素階調値に基づいて、静的オーバードライブ・ルックアップテーブルを参照して静的オーバードライブ階調値を出力する静的オーバードライブ手段と、
次に表示するフレームにおける前記画素の画素階調値と、次に表示するフレームの１つ前のフレームにおける前記画素の画素階調値と、次に表示するフレームの２つ前のフレームにおける前記画素の画素階調値に基づき、三次元動的補正ルックアップテーブルを参照して動的補正階調値を取得し、取得した動的補正階調値を用いて前記静的オーバードライブ階調値を補正して前記オーバードライブ階調値を出力する動的補正手段と、を備えることを特徴とする請求項１１のオーバードライブ装置。
【請求項１４】
液晶ディスプレイパネルに使用され、次に表示するフレームにおける画素の画素階調値に基づいて、オーバードライブ階調値を得るオーバードライブ方法であって、
（ａ）次に表示するフレームの１つ前のフレームにおける前記画素の画素階調値と、次に表示するフレームの２つ前のフレームにおける前記画素の画素階調値を用い、前記画素の比較結果値を取得する第１ステップと、
（ｂ）１つ前のフレームと２つ前のフレームとから得られた前記比較結果値と、次に表示するフレームにおける前記画素の画素階調値と、次に表示する１つ前のフレームにおける前記画素の画素階調値に基づき、少なくとも１つのオーバードライブ・ルックアップテーブルを参照して前記オーバードライブ階調値を得る第２ステップと、
を備えるオーバードライブ方法。
【請求項１５】
前記第２ステップ（ｂ）が、
（ｂ−１）次に表示するフレームにおける前記画素の画素階調値と、次に表示するフレームの１つ前のフレームにおける前記画素の画素階調値を用い、静的オーバードライブ・ルックアップテーブルを参照して静的オーバードライブ階調値を得るステップと、
（ｂ−２）次に表示するフレームにおける前記画素の画素階調値と、次に表示するフレームの１つ前のフレームにおける前記画素の画素階調値を用い、動的オーバードライブ・ルックアップテーブルを参照して動的オーバードライブ階調値を得るステップと、
（ｂ−３）１つ前のフレームと２つ前のフレームとから得られた前記比較結果値と、前記静的オーバードライブ階調値と、前記動的オーバードライブ階調値を用いて、前記オーバードライブ階調値を得るステップと、を備えることを特徴とする請求項１４のオーバードライブ方法。
【請求項１６】
次に表示するフレームの１つ前のフレームにおける前記画素の画素階調値と、次に表示するフレームの２つ前のフレームにおける前記画素の画素階調値との差の絶対値が所定値未満であるときに、前記静的オーバードライブ階調値を前記オーバードライブ階調値とすることを特徴とする請求項１５のオーバードライブ方法。
【請求項１７】
次に表示するフレームの１つ前のフレームにおける前記画素の画素階調値と、次に表示するフレームの２つ前のフレームにおける前記画素の画素階調値との差の絶対値が所定値以上であるときに、前記動的オーバードライブ階調値を前記オーバードライブ階調値とすることを特徴とする請求項１５又は１６のオーバードライブ方法。
【請求項１８】
前記第２ステップ（ｂ）が、
（ｂ−１）次に表示するフレームにおける前記画素の画素階調値と、次に表示するフレームの１つ前のフレームにおける前記画素の画素階調値を用い、静的オーバードライブ・ルックアップテーブルを参照して静的オーバードライブ階調値を得るステップと、
（ｂ−２）次に表示するフレームにおける前記画素の画素階調値と、次に表示するフレームの１つ前のフレームにおける前記画素の画素階調値を用い、動的補正ルックアップテーブルを参照して動的補正階調値を得るステップと、
（ｂ−３）１つ前のフレームと２つ前のフレームとから得られた前記比較結果値と、前記静的オーバードライブ階調値と、前記動的補正階調値を用いて、前記オーバードライブ階調値を得るステップと、をさらに備えることを特徴とする請求項１４のオーバードライブ方法。
【請求項１９】
次に表示するフレームの１つ前のフレームにおける前記画素の画素階調値と、次に表示するフレームの２つ前のフレームにおける前記画素の画素階調値との差の絶対値が所定値未満であるときに、前記静的オーバードライブ階調値を前記オーバードライブ階調値とすることを特徴とする請求項１８のオーバードライブ方法。
【請求項２０】
次に表示するフレームの１つ前のフレームにおける前記画素の画素階調値と、次に表示するフレームの２つ前のフレームにおける前記画素の画素階調値との差の絶対値が所定値以上であるときに、前記静的オーバードライブ階調値と前記動的補正階調値との和を前記オーバードライブ階調値とすることを特徴とする請求項１８又は１９のオーバードライブ方法。
【請求項２１】
前記第１ステップ（ａ）が、
（ａ−１）次に表示するフレームの１つ前のフレームにおける前記画素の画素階調値と、次に表示するフレームの２つ前のフレームにおける前記画素の画素階調値との階調値差を得るステップと、
（ａ−２）前記階調値差に対応する階調値範囲を判定することにより、前記比較結果値を得るステップと、を備えることを特徴とする請求項１４のオーバードライブ方法。
【請求項２２】
前記第２ステップ（ｂ）が、
（ｂ−１）１つ前のフレームと２つ前のフレームとから得られた前記比較結果値と、次に表示するフレームにおける前記画素の画素階調値と、次に表示するフレームの１つ前のフレームにおける前記画素の画素階調値を用い、三次元オーバードライブ・ルックアップテーブルを参照して前記オーバードライブ階調値を得るステップと、を備えることを特徴とする請求項２１のオーバードライブ方法。
【請求項２３】
前記第２ステップ（ｂ）が、
（ｂ−１）次に表示するフレームにおける前記画素の画素階調値と、次に表示するフレームの１つ前のフレームにおける前記画素の画素階調値を用い、静的オーバードライブ・ルックアップテーブルを参照して静的オーバードライブ階調値を得るステップと、
（ｂ−２）１つ前のフレームと２つ前のフレームとから得られた前記比較結果値と、次に表示するフレームにおける前記画素の画素階調値と、次に表示するフレームの１つ前のフレームにおける前記画素の画素階調値に基づき、三次元動的補正ルックアップテーブルを参照して動的補正階調値を得るステップと、
（ｂ−３）前記静的オーバードライブ階調値と前記動的補正階調値との和を算出することによって、前記オーバードライブ階調値を得るステップと、を備えることを特徴とする請求項２１のオーバードライブ方法。
【請求項２４】
次に表示するフレームの１つ前のフレームにおける前記画素の画素階調値と、次に表示するフレームの２つ前のフレームにおける前記画素の画素階調値との差の絶対値が所定値未満であるときに、前記動的補正階調値をゼロとすることを特徴とする請求項２３のオーバードライブ方法。
【請求項２５】
液晶ディスプレイパネルに使用され、次に表示するフレームにおける画素の画素階調値に基づいて、オーバードライブ階調値を得るオーバードライブ方法であって、
（ａ）次に表示するフレームにおける前記画素の画素階調値と、次に表示するフレームの１つ前のフレームにおける前記画素の画素階調値と、次に表示するフレームの２つ前のフレームにおける前記画素の画素階調値に基づき、少なくとも１つのオーバードライブ・ルックアップテーブルを参照してオーバードライブ階調値を得るステップと、
を備えるオーバードライブ方法。
【請求項２６】
前記ステップ（ａ）が、次に表示するフレームにおける前記画素の画素階調値と、次に表示するフレームの１つ前のフレームにおける前記画素の画素階調値と、次に表示するフレームの２つ前のフレームにおける前記画素の画素階調値に基づいて、三次元オーバードライブ・ルックアップテーブルを参照して前記オーバードライブ階調値を出力することを特徴とする請求項２５のオーバードライブ方法。
【請求項２７】
前記ステップ（ａ）が、
（ａ−１）次に表示するフレームにおける前記画素の画素階調値と、次に表示するフレームの１つ前のフレームにおける前記画素の画素階調値に基づき、静的オーバードライブ・ルックアップテーブルを参照して静的オーバードライブ階調値を得るステップと、
（ａ−２）次に表示するフレームにおける前記画素の画素階調値と、次に表示するフレームの１つ前のフレームにおける前記画素の画素階調値と、次に表示するフレームの２つ前のフレームにおける前記画素の画素階調値に基づき、三次元動的補正ルックアップテーブルを参照して動的補正階調値を得るステップと、
（ａ−３）前記静的オーバードライブ階調値と前記動的補正階調値との和を算出することによって、前記オーバードライブ階調値を得るステップと、
を備える請求項２５のオーバードライブ方法。
【発明の詳細な説明】
【技術分野】
【０００１】
本発明はオーバードライブ装置とオーバードライブ方法に関する。
【背景技術】
【０００２】
図１Ａは、画素輝度の応答が遅い従来の液晶ディスプレイにおける画素階調の変化と画素輝度の変化との対照図である。図１Ａに示すように、画素階調値が時間ｔ０においてｇ０からｇ１に切り換わったとき、画素の輝度もＹ０からＹ１に変わる。しかし実際の輝度がＹ０からＹ１に変わる応答に時間がかかりすぎるため、画素輝度は１フレーム周期（ｔ１−ｔ０）内に画素階調値ｇ１に対応するＹ１に到達することができない。
【０００３】
従来、液晶ディスプレイの画面表示の応答が遅すぎるという問題を解決するために、オーバードライブという方法をとることにより、液晶ディスプレイがある表示フレームの画素階調の輝度から次の表示フレームの画素階調の輝度に切り換わるのに必要な応答時間の短縮を図ってきた。オーバードライブでは、図１Ｂに示すように、画素輝度の応答時間を短縮するため、入力した画素階調値ｇ０に対して、実際の画素階調値をｇ０からｇ１’に切り換える（ｇ１’＞ｇ１）。これにより、画素の輝度は時間（ｔ１−ｔ０）内にＹ０からＹ１に到達することが可能となる。入力した画素階調値に対して高めた又は低めたオーバードライブ階調値によって駆動することにより、液晶の回転を速めて必要な画素輝度に到達させる。オーバードライブ階調値ｇ１’は、次に表示するフレームにおける画素階調値ｇ１と、その１つ前のフレーム（現フレーム）における画素階調値ｇ０に応じて決定される。
【０００４】
図２Ａは、従来の液晶ディスプレイのオーバードライブ装置の構造を示すブロック図である。図２Ａは、解像度Ｉ×Ｊの液晶ディスプレイを例にとっている。図２Ａに示すように、オーバードライブ装置２００は、制御ユニット２１０と、フレームメモリ２２０と、オーバードライブ・ルックアップユニット２３０を備えている。制御ユニット２１０は、各フレームにおける各画素の画素階調値を入力する。Ｇ（Ｍ＋１、ｉ、ｊ）は、（Ｍ＋１）番目のフレーム、即ち、次に表示するフレームにおける（ｉ、ｊ）番目の画素の画素階調値を示している。ここで、１≦ｉ≦Ｉであり、１≦ｊ≦Ｊである。Ｇ（Ｍ、ｉ、ｊ）は、Ｍ番目のフレーム、即ち、現フレームにおける（ｉ、ｊ）番目の画素の画素階調値を示している。フレームメモリ２２０は、Ｍ番目のフレームの全ての画素階調値Ｇ（Ｍ、ｉ、ｊ）を記憶する。オーバードライブ・ルックアップユニット２３０は、次に表示する（Ｍ＋１）番目のフレーム内の（ｉ、ｊ）番目の画素の画素階調値Ｇ（Ｍ＋１、ｉ、ｊ）と、その１つ前のＭ番目のフレーム内の（ｉ、ｊ）番目の画素の画素階調値Ｇ（Ｍ、ｉ、ｊ）に基づき、オーバードライブ・ルックアップテーブル２３２を参照し、オーバードライブ階調値Ｇｏｄ（Ｍ＋１、ｉ、ｊ）を液晶ディスプレイパネル２４０に出力する。
【０００５】
図２Ｂに示すように、従来のオーバードライブ・ルックアップテーブル２３２は、２次元のルックアップテーブルである。横軸はＭ番目のフレームの階調値Ｇ（Ｍ）を表し、縦は（Ｍ＋１）番目のフレームの階調値Ｇ（Ｍ＋１）を表す。例えば８ビットでは、階調値Ｇ（Ｍ）およびＧ（Ｍ＋１）はそれぞれ０〜２５５であり、それぞれ計２５６通りの値を取り得る。（Ｍ＋１）番目のフレームにおける画素のオーバードライブ階調値Ｇｏｄ（Ｍ＋１）は、（Ｍ＋１）番目のフレームの階調値Ｇ（Ｍ＋１）とその１つ前のＭ番目のフレームの階調値Ｇ（Ｍ）に基づいて、ルックアップテーブル２３２を参照して決定される。
【発明の開示】
【発明が解決しようとする課題】
【０００６】
上記のオーバードライブ・ルックアップテーブル２３２は、静的オーバードライブ・ルックアップテーブルであり、オーバードライブ階調値Ｇｏｄ（Ｍ＋１）には（Ｍ＋１）番目のフレームの階調値Ｇ（Ｍ＋１）とＭ番目のフレームの階調値Ｇ（Ｍ）しか考慮されない。また、（Ｍ−１）番目のフレームの階調値Ｇ（Ｍ−１）はＭ番目のフレームの階調値Ｇ（Ｍ）と等しいという仮定に基づいている。しかし、実際には（Ｍ−１）番目のフレームの階調値Ｇ（Ｍ−１）は階調値Ｇ（Ｍ）とは異なることが多く、静的オーバードライブ・ルックアップテーブルを参照しても、実際に必要なオーバードライブ階調値Ｇｏｄ（Ｍ＋１）を得ることができない。
【０００７】
図３Ａに示すように、実験の結果によれば、時間ｔ０の前の画素階調値がｇ０の値に一定ではなく、先にｇ３の値にあり、そこからｇ０の値まで下降した場合、オーバードライブ階調値をｇ１’とすると、１つのフレーム周期（ｔ１−ｔ０）が経過した時点で、画素輝度はＹ０から目標のＹ１に直接的に変化するのではなく、一旦より高いＹ２に達した後に、目標であるＹ１まで徐々に低下していく。一方、図３Ｂの示すように、オーバードライブ階調値をｇ１”とすると（ｇ１”≠ｇ１’）、画素輝度をＹ０から目標とするＹ１に直接的に変化させることが可能となる。このことから、画素階調値の変化が単純でないことを考慮すると、上記した静的ルックアップテーブルだけを用いてオーバードライブ階調値を得ても、動画の品質を効果的に向上させることは困難である。
上記の問題を鑑み、本発明は適切なオーバードライブを可能とする技術を提供することを目的とする。
【課題を解決するための手段】
【０００８】
本発明の技術では、次に表示されるフレームにおける画素階調値と、その１つ前のフレームにおける画素階調値と、二つ前のフレームにおける画素階調値に基づいて、静的オーバードライブ・ルックアップテーブル又は動的オーバードライブ・ルックアップテーブルを選択して参照することにより、オーバードライブ階調値を取得する。それにより、動画の表示品質を効果的に向上させることができる。
【０００９】
本発明の技術により、液晶ディスプレイパネルに用いられ、画素の複数のフレームにおける複数の画素階調値を入力し、オーバードライブ階調値を出力するオーバードライブ装置を提供される。このオーバードライブ装置は、記憶手段と、オーバードライブ選択手段を備えている。記憶手段は、画素の各フレームにおける画素階調値を記憶する。オーバードライブ選択手段は、記憶手段に接続されており、次に表示するフレームの２つ前のフレームにおける画素の画素階調値と、次に表示するフレームの１つ前のフレームにおける画素の画素階調値との比較に基づき、利用するオーバードライブ・ルックアップテーブルを少なくとも１つ選択し、さらに、次に表示するフレームにおける画素の画素階調値と、１つ前のフレームにおける画素の画素階調値に基づき、選択したオーバードライブ・ルックアップテーブルを参照して、オーバードライブ階調値を出力する。
【００１０】
このオーバードライブ装置では、次に表示するフレームの１つ前のフレームにおける画素階調値と、次に表示するフレームの２つ前のフレームにおける画素階調値の比較に基づいて、適切なオーバードライブ・ルックアップテーブルを選択し、選択したオーバードライブ・ルックアップテーブルを用いてオーバードライブ階調値を決定する。それにより、単に静的オーバードライブ・ルックアップテーブルのみを使用する従来の方式と比べ、動的画面の品質をより効果的に向上させることが可能となる。
【００１１】
本発明の技術により、液晶ディスプレイパネルに用いられ、画素の複数のフレームにおける複数の画素階調値を入力し、オーバードライブ階調値を出力する他のオーバードライブ装置を提供する。このオーバードライブ装置は、記憶手段と、オーバードライブ選択手段を備えている。記憶手段は、画素の各フレームにおける画素階調値を記憶する。オーバードライブ選択手段は、記憶手段に接続されており、次に表示するフレームにおける画素の画素階調値と、その１つ前のフレームにおける画素の画素階調値と、２つ前のフレームにおける画素の画素階調値に基づき、少なくとも１つのオーバードライブ・ルックアップテーブルを参照し、オーバードライブ階調値を出力する。
【００１２】
本発明の技術はまた、画素の各フレームにおける画素諧調値を入力し、オーバードライブ階調値を出力して、液晶ディスプレイパネルをオーバードライブするオーバードライブ方法を提供する。このオーバードライブ方法は、次に表示するフレームの２つ前のフレームにおける画素の画素階調値と次に表示するフレームの１つ前のフレームにおける画素の画素階調値との異同を判定する工程と、その異同の判定結果と、次に表示するフレームにおける画素の画素階調値と、次に表示するフレームの１つ前のフレームにおける画素の画素階調値に基づき、少なくとも１つのオーバードライブ・ルックアップテーブルを参照して、オーバードライブ階調値を取得する工程とを備えている。
【００１３】
本発明の技術はまた、画素の各フレームにおける画素諧調値を入力し、オーバードライブ階調値を出力して、液晶ディスプレイパネルをオーバードライブする他のオーバードライブ方法を提供する。このオーバードライブ方法は、次に表示するフレームにおける画素の画素階調値と、次に表示するフレームの１つ前のフレームにおける画素の画素階調値と、次に表示するフレームの２つ前のフレームにおける画素の画素階調値に基づいて、少なくとも１つのオーバードライブ・ルックアップテーブルを参照して、オーバードライブ階調値を取得する工程を備えている。
【発明を実施するための最良の形態】
【００１４】
本発明の上記の目的、特徴および利点をさらに明らかにし理解しやすくするため、以下好適な実施形態を２例挙げ、添付の図面を参照しながら詳細に説明する。
【００１５】
（第１実施形態）
図４Ａは、本発明の第１実施形態であるオーバードライブ装置４００の構造を示すブロック図である。解像度がＩ×Ｊである液晶ディスプレイを例にとると、オーバードライブ装置４００は、（Ｍ＋１）番目のフレームにおける（ｉ、ｊ）番目の画素の画素階調値Ｇ（Ｍ＋１、ｉ、ｊ）を入力し、（Ｍ＋１）番目のフレームにおける（ｉ、ｊ）番目の画素のオーバードライブ階調値Ｇｏｄ（Ｍ＋１、ｉ、ｊ）を出力する。ここで、１≦ｉ≦Ｉであり、かつ１≦ｊ≦Ｊである。オーバードライブ装置４００は、メモリユニット４２０と、オーバードライブ選択ユニット４３０を含む。
【００１６】
メモリユニット４２０は、Ｍ番目のフレームにおける（ｉ、ｊ）番目の画素の階調値Ｇ（Ｍ、ｉ、ｊ）を記憶する。メモリユニット４２０は、例えば一種のフレームメモリであり、Ｍ番目のフレームにおける全て画素の画素階調値｛Ｇ（Ｍ、ｉ、ｊ）｜ｉ＝１〜Ｉ、ｊ＝１〜Ｊ｝を記憶する。オーバードライブ選択ユニット４３０は、メモリユニット４２０に接続されており、次に表示するフレームにおける（ｉ、ｊ）番目の画素の画素階調値Ｇ（Ｍ＋１、ｉ、ｊ）と、その１つ前のフレームにおける（ｉ、ｊ）番目の画素の画素階調値Ｇ（Ｍ、ｉ、ｊ）に基づいて、オーバードライブ・ルックアップテーブルを参照し、次に表示するフレームにおける（ｉ、ｊ）番目の画素のオーバードライブ階調値Ｇｏｄ（Ｍ＋１、ｉ、ｊ）を出力する。
【００１７】
図４Ａに示すように、オーバードライブ選択ユニット４３０は、比較ユニット４３２と、動的記録ユニット４３４と、選択ルックアップユニット４３６を備えている。
比較ユニット４３２は、次に表示するフレームにおける画素階調値Ｇ（Ｍ＋１、ｉ、ｊ）と、その１つ前のフレームにおける画素階調値Ｇ（Ｍ、ｉ、ｊ）とを比較し、両者の異同を示す比較結果値Ｄ（Ｍ＋１、ｉ、ｊ）を出力する。比較結果値Ｄ（Ｍ＋１、ｉ、ｊ）は、Ｄ＋（Ｍ＋１、ｉ、ｊ）とＤ―（Ｍ＋１、ｉ、ｊ）によって記述される。動的記録ユニット４３４は、比較ユニット４３２と選択ルックアップユニット４３６との間に接続されており、比較ユニット４３２が出力する比較結果値Ｄ（Ｍ＋１、ｉ、ｊ）を記録するとともに、前回記録した１つ前のフレームと２つ前のフレームとから得られた比較結果値Ｄ（Ｍ、ｉ、ｊ）を出力する。
選択ルックアップユニット４３６は、次に表示するフレームにおける画素階調値Ｇ（Ｍ＋１、ｉ、ｊ）と、その１つ前のフレームにおける画素階調値Ｇ（Ｍ、ｉ、ｊ）を用い、静的オーバードライブ・ルックアップテーブル４３５を参照して静的オーバードライブ階調値Ｇｓ（Ｍ＋１、ｉ、ｊ）を取得するとともに、動的オーバードライブ・ルックアップテーブル４３７を参照して動的オーバードライブ階調値Ｇｄ（Ｍ＋１、ｉ、ｊ）を取得する。ここで、静的オーバードライブ・ルックアップテーブル４３５は、図２Ｂに例示したものと同様に、次に表示するフレームにおける画素階調値Ｇ（Ｍ＋１、ｉ、ｊ）とその１つ前のフレームにおける画素階調値Ｇ（Ｍ、ｉ、ｊ）との２次元マップに、静的オーバードライブ階調値Ｇｓ（Ｍ＋１、ｉ、ｊ）を記述している。また、動的オーバードライブ・ルックアップテーブル４３７は、次に表示するフレームにおける画素階調値Ｇ（Ｍ＋１、ｉ、ｊ）とその１つ前のフレームにおける画素階調値Ｇ（Ｍ、ｉ、ｊ）との２次元マップに、動的オーバードライブ階調値Ｇｄ（Ｍ＋１、ｉ、ｊ）を記述している。静的オーバードライブ・ルックアップテーブル４３５と動的オーバードライブ・ルックアップテーブル４３７は、データ構造は略同一であるが、記述されているオーバードライブ階調値が互いに異なっている。次いで、比較結果値Ｄ（Ｍ、ｉ、ｊ）に基づいて、静的オーバードライブ階調値Ｇｓ（Ｍ＋１、ｉ、ｊ）又は動的オーバードライブ階調値Ｇｄ（Ｍ＋１、ｉ、ｊ）を選択し、オーバードライブ階調値Ｇｏｄ（Ｍ＋１、ｉ、ｊ）として液晶ディスプレイパネル４４０に出力する。以下、発明の内容をより簡潔に記述するために（ｉ、ｊ）の表記を省略する。
【００１８】
２つ前のフレームの画素階調値Ｇ（Ｍ−１）と１つ前のフレームの画素階調値Ｇ（Ｍ）とが等しいときは、比較結果値Ｄ＋（Ｍ）は０となり、かつＤ−（Ｍ）は１となる。この場合、選択ルックアップユニット４３６は、比較結果値Ｄ（Ｍ）が０であることに基づき、静的オーバードライブ・ルックアップテーブル４３５を選択し、これを参照することによりオーバードライブ階調値Ｇｏｄ（Ｍ＋１）を出力する。即ち、直前の２つのフレームの画素階調値Ｇ（Ｍ−１）、Ｇ（Ｍ）は安定した状態であることから、静的オーバードライブ・ルックアップテーブル４３５を用いるだけで正確なオーバードライブ階調値Ｇｏｄ（Ｍ＋１）を得ることができる。一方、２つ前のフレームの画素階調値Ｇ（Ｍ−１）と１つ前のフレームの画素階調値Ｇ（Ｍ）とが異なるときは、比較結果値Ｄ＋（Ｍ）は１となり、かつＤ−（Ｍ）は０となる。この場合、選択ルックアップユニット４３６は、比較結果値Ｄ（Ｍ）が１であることに基づき、上記の動的オーバードライブ・ルックアップテーブル４３７を選択し、これを参照することによりオーバードライブ階調値Ｇｏｄ（Ｍ＋１）を出力する。即ち、直前の２つのフレームの画素階調値Ｇ（Ｍ−１）、Ｇ（Ｍ）は不安定な状態（変化している）であるため、静的オーバードライブ・ルックアップテーブル４３５では正確なオーバードライブ階調値Ｇｏｄ（Ｍ＋１）を得ることは不可能となり、したがって動的オーバードライブ・ルックアップテーブル４３７の方を選択するのである。
【００１９】
図４Ｂは、本発明の第１実施形態に基づく一の変形例であるオーバードライブ選択ユニット４３０を備えるオーバードライブ装置の構造を示すブロック図である。このオーバードライブ選択ユニット４３０は、比較ユニット４３２と、動的記録ユニット４３４と、オーバードライブ・ルックアップユニット４３１と、選択補正ユニット４３３を備えている。比較ユット４３２は、次に表示するフレームにおける画素階調値Ｇ（Ｍ＋１）と、１つ前のフレームにおける画素階調値Ｇ（Ｍ）とを比較し、比較結果値Ｄ（Ｍ＋１）を出力する。動的記録ユニット４３４は、比較ユニット４３２と選択補正ユニット４３３との間に接続されており、比較ユット４３２が出力する比較結果値Ｄ（Ｍ＋１）を記録するとともに、前回記録した１つ前のフレームと２つ前のフレームとから得られた比較結果値Ｄ（Ｍ）を出力する。
【００２０】
オーバードライブ・ルックアップユニット４３１は、次に表示するフレームにおける画素階調値Ｇ（Ｍ＋１）とその１つ前のフレームにおける画素階調値Ｇ（Ｍ）に基づき、静的オーバードライブ・ルックアップテーブル４３８を参照して、静的オーバードライブ階調値Ｇｓ（Ｍ＋１）を出力する。選択補正ユニット４３３は、動的記録ユニット４３４に記憶されている次に表示するフレームの１つ前のフレームと２つ前のフレームとから得られた比較結果値Ｄ（Ｍ）に基づき、動的補正ルックアップテーブル４３９を参照して、上記の静的オーバードライブ階調値Ｇｓ（Ｍ＋１）に対して階調値補正を行う。これにより、必要なオーバードライブ階調値Ｇｏｄ（Ｍ＋１）を出力する。
【００２１】
２つ前のフレームの画素階調値Ｇ（Ｍ−１）と１つ前のフレームの画素階調値Ｇ（Ｍ）とが等しいときは、比較結果値Ｄ（Ｍ）は０となる。この場合、選択補正ユニット４３３は、比較結果値Ｄ（Ｍ）が０であることに基づき、論理演算を行った後、静的オーバードライブ階調値Ｇｓ（Ｍ＋１）を、オーバードライブ階調値Ｇｏｄ（Ｍ＋１）として直接出力する。即ち、直前の２つのフレームの画素階調値Ｇ（Ｍ−１）、Ｇ（Ｍ）は安定した状態であるため、静的オーバードライブ・ルックアップテーブル４３８を用いるだけで正確なオーバードライブ階調値Ｇｏｄ（Ｍ＋１）を得ることができる。一方、２つ前のフレームの画素階調値Ｇ（Ｍ−１）と１つ前のフレームの画素階調値Ｇ（Ｍ）とが異なるときは、比較結果値Ｄ（Ｍ）は１となる。この場合、選択補正ユニット４３３は、比較結果値Ｄ（Ｍ）が１であることに基づき、次に表示されるフレームの画素階調値Ｇ（Ｍ＋１）および１つ前のフレームの画素階調値Ｇ（Ｍ）を用い、動的補正ルックアップテーブル４３９を参照して、動的補正階調値Ｇｃ（Ｍ＋１）を取得する。そして、動的補正階調値Ｇｃ（Ｍ＋１）を用いて静的オーバードライブ階調値Ｇｓ（Ｍ＋１）を補正し、必要なオーバードライブ階調値Ｇｏｄ（Ｍ＋１）を出力する。即ち、Ｇｏｄ（Ｍ＋１）＝Ｇｓ（Ｍ＋１）＋Ｄ（Ｍ）×Ｇｃ（Ｍ＋１）の関係となる。
【００２２】
上述した説明では、Ｇ（Ｍ−１）とＧ（Ｍ）とが等しいときＤ（Ｍ）は０となり、Ｇ（Ｍ−１）とＧ（Ｍ）とが異なるときＤ（Ｍ）は１となる。ただし、Ｇ（Ｍ−１）とＧ（Ｍ）との差の絶対値｜Ｇ（Ｍ−１）−Ｇ（Ｍ）｜が所定の臨界階調差ｘ未満のときにはＤ（Ｍ）が０となり、Ｇ（Ｍ−１）とＧ（Ｍ）との差の絶対値｜Ｇ（Ｍ−１）−Ｇ（Ｍ）｜が所定の臨界階調差ｘ以上のときにはＤ（Ｍ）が１となるように設定してもよい。臨界階調差ｘは、ノイズ信号の大きさ等を考慮して設定および調整を行えばよい。例えば、ノイズ信号が大きくなるほど、より高い臨界階調差を設定することにより、計算結果がノイズ信号により不適当に影響を受けるのを回避することができる。８ビットの映像資料（画素階調値）を駆動する実施形態においては、臨界階調差は例えば８とし、６ビットの映像資料（画素階調値）を駆動する実施形態においては、臨界階調差は例えば２とすることができる。
【００２３】
図４Ｃは、第１実施形態に基づく他の変形例のオーバードライブ選択ユニット４３０を備えるオーバードライブ装置の構造を示すブロック図である。オーバードライブ選択ユニット４３０は、比較ユニット４３２と、動的記録ユニット４３４と、オーバードライブ・ルックアップユニット４５０を備えている。
比較ユニット４３２は、次に表示するフレームにおける画素階調値Ｇ（Ｍ＋１）と１つ前のフレームにおける画素階調値Ｇ（Ｍ）とを比較し、両者の異同を示す比較結果値Ｄ（Ｍ＋１）を出力する。動的記録ユニット４３４は、比較ユニット４３２とオーバードライブ・ルックアップユニット４５０との間に接続されており、比較ユニット４３２が出力する比較結果値Ｄ（Ｍ＋１）を記録するとともに、前回記録した１つ前のフレームと２つ前のフレームとから得られた比較結果値Ｄ（Ｍ）を出力する。
オーバードライブ・ルックアップユニット４５０は、１つ前のフレームと２つ前のフレームとから得られた比較結果値Ｄ（Ｍ）と、次に表示するフレームにおける画素階調値Ｇ（Ｍ＋１）と、１つ前のフレームにおける画素階調値Ｇ（Ｍ）に基づき、三次元オーバードライブ・ルックアップテーブル４５２を参照することにより、オーバードライブ階調値Ｇｏｄ（Ｍ＋１）を出力する。
【００２４】
この変形例では、１つ前のフレームの画素階調値Ｇ（Ｍ）と２つ前のフレームの画素階調値Ｇ（Ｍ−１）とから得られる比較結果値Ｄ（Ｍ）は、１つ前のフレームの画素階調値Ｇ（Ｍ）と２つ前のフレームの画素階調値Ｇ（Ｍ−１）との諧調値差（Ｇ（Ｍ）−Ｇ（Ｍ−１））に応じて、両者の異同の程度を数値化して示すものである。例えば、図４Ｄに示すように、階調値区間［−２５５、２５５］を５つの範囲に区分する。第Ｉの範囲を［−２５５、−１２８］とし、対応するＤ（Ｍ）の値を１とする。第IIの範囲を［−１２８、−８］とし、対応するＤ（Ｍ）の値は２とする。第IIIの階調値範囲を［−８、８］とし、対応するＤ（Ｍ）の値を０とする。第IVの範囲を［８、１２８］とし、対応するＤ（Ｍ）の値を３とする。第Ｖの範囲を［１２８、２５５］とし、対応するＤ（Ｍ）の値を４とする。
【００２５】
図４Ｅは、第１実施形態に基づくまた別の変形例であるオーバードライブ選択ユニット４３０を備えるオーバードライブ装置の構造を示すブロック図である。オーバードライブ選択ユニット４３０は、比較ユニット４３２と、動的記録ユニット４３４と、オーバードライブ・ルックアップユニット４６０と、選択補正ユニット４７０を備えている。
比較ユニット４３２は、次に表示するフレームの画素階調値Ｇ（Ｍ＋１）とその１つ前のフレームの画素階調値Ｇ（Ｍ）とを比較することにより、対応する比較結果値Ｄ（Ｍ＋１）を出力する。
動的記録ユニット４３４は、比較ユニット４３２と選択補正ユニット４７０との間に接続されており、比較ユニット４３２が出力する比較結果値Ｄ（Ｍ＋１）を記録するとともに、前回記録した１つ前のフレームと２つ前のフレームとから得られた比較結果値Ｄ（Ｍ）を出力する。
【００２６】
オーバードライブ・ルックアップユニット４６０は、次に表示するフレームの画素階調値Ｇ（Ｍ＋１）と１つ前のフレームの画素階調値Ｇ（Ｍ）に基づき、静的オーバードライブ・ルックアップテーブル４６２を参照して、静的オーバードライブ階調値Ｇｓ（Ｍ＋１）を出力する。選択補正ユニット４７０は、１つ前のフレームと２つ前のフレームとから得られた比較結果値Ｄ（Ｍ）と、次に表示するフレームにおける画素階調値Ｇ（Ｍ＋１）と、１つ前のフレームにおける画素階調値Ｇ（Ｍ）に基づき、三次元動的補正ルックアップテーブル４７２を参照することにより、動的補正階調値Ｇｃ（Ｍ＋１）を取得する。そして、動的補正階調値Ｇｃ（Ｍ＋１）を用いて静的オーバードライブ階調値Ｇｓ（Ｍ＋１）に対して階調値補正を行い、オーバードライブ階調値Ｇｏｄ（Ｍ＋１）を出力する。ここで、Ｇｏｄ（Ｍ＋１）＝Ｇｓ（Ｍ＋１）＋Ｇｃ（Ｍ＋１）である。
【００２７】
上記したように、１つ前のフレームにおける画素階調値Ｇ（Ｍ）と２つ前のフレームの画素階調値Ｇ（Ｍ−１）とから得られる比較結果値Ｄ（Ｍ）は、１つ前のフレームの画素階調値Ｇ（Ｍ）と２つ前のフレームの画素階調値Ｇ（Ｍ−１）との階調値差（Ｇ（Ｍ）−Ｇ（Ｍ−１））に対応する階調値範囲を判定することにより生成される数値である。
【００２８】
図５は、第１実施形態に基づくオーバードライブ方法のフローチャートである。
先ず、ステップ５００において、次に表示するフレームの１つ前のフレームの画素階調値Ｇ（Ｍ）と２つ前のフレームにおける画素階調値Ｇ（Ｍ−１）を用いて、対応する比較結果値Ｄ（Ｍ）を得る。
次に、ステップ５１０において、１つ前のフレームと２つ前のフレームとから得られた比較結果値Ｄ（Ｍ）と、次に表示するフレームの画素階調値Ｇ（Ｍ＋１）とその１つ前のフレームの画素階調値Ｇ（Ｍ）に基づき、少なくとも１つのオーバードライブ・ルックアップテーブルを参照することにより、オーバードライブ階調値Ｇｏｄ（Ｍ＋１）を取得する。以上により、本フローは終了する。
【００２９】
図５Ａは、図５のオーバードライブ方法の第１の詳細フローチャートである。この第１の詳細フローチャートは、図４Ａに示すオーバードライブ装置４００の動作フローを示すものである。
ステップ５００では、次に表示するフレームにおける１つ前のフレームの画素階調値Ｇ（Ｍ）と２つ前のフレームにおける画素階調値Ｇ（Ｍ−１）を用いて、対応する比較結果値Ｄ（Ｍ）を得る。上述したように、１つ前のフレームの画素階調値Ｇ（Ｍ）と２つ前のフレームの画素階調値Ｇ（Ｍ−１）との差の絶対値が臨界階調差ｘ未満のときは、比較結果値Ｄ＋（Ｍ）は０となりＤ−（Ｍ）は１となる。一方、画素階調値Ｇ（Ｍ）とＧ（Ｍ−１）との差の絶対値が臨界階調差ｘ以上のときは、比較結果値Ｄ＋（Ｍ）は１となりＤ−（Ｍ）は０となる。
ステップ５１２では、次に表示するフレームにおける画素階調値Ｇ（Ｍ＋１）と１つ前のフレームにおける画素階調値Ｇ（Ｍ）を用い、静的オーバードライブ・ルックアップテーブル４３５を参照することにより、静的オーバードライブ階調値Ｇｓ（Ｍ＋１）を得る。
ステップ５１４では、次に表示するフレームにおける画素階調値Ｇ（Ｍ＋１）と１つ前のフレームにおける画素階調値Ｇ（Ｍ）を用い、動的オーバードライブ・ルックアップテーブル４３７を参照することにより、動的オーバードライブ階調値Ｇｄ（Ｍ＋１）を得る。
ステップ５１６では、１つ前のフレームと２つ前のフレームとから得られた比較結果値Ｄ＋と、静的オーバードライブ階調値Ｇｓ（Ｍ＋１）と、動的オーバードライブ階調値Ｇｄ（Ｍ＋１）により、オーバードライブ階調値Ｇｏｄ（Ｍ＋１）を取得する。以上により、本フローは終了する。ここで、Ｇｏｄ（Ｍ＋１）＝Ｄ−（Ｍ）Ｇｓ（Ｍ＋１）＋Ｄ＋（Ｍ）Ｇｄ（Ｍ＋１）である。
【００３０】
図５Ｂは、図５のオーバードライブ方法の第２の詳細フローチャートである。この第２の詳細フローチャートは、図４Ｂに示すオーバードライブ装置の動作フローを示すものである。
ステップ５００では、次に表示するフレームの１つ前のフレームの画素階調値Ｇ（Ｍ）と、２つ前のフレームの画素階調値Ｇ（Ｍ−１）から、対応する比較結果値Ｄ（Ｍ）を得る。上述したように、画素階調値Ｇ（Ｍ）とＧ（Ｍ−１）との差の絶対値が臨界階調差ｘ未満のとき、比較結果値Ｄ（Ｍ）は０となる。一方、画素階調値Ｇ（Ｍ）とＧ（Ｍ−１）との差の絶対値が臨界階調差ｘ以上のときは、比較結果値Ｄ（Ｍ）は１となる。
ステップ５１８では、次に表示されるフレームの画素階調値Ｇ（Ｍ＋１）および１つ前のフレームの画素階調値Ｇ（Ｍ）を用い、上記の静的オーバードライブ・ルックアップテーブル４３８を参照することにより、静的オーバードライブ階調値Ｇｓ（Ｍ＋１）を得る。
ステップ５２０では、次に表示するフレームにおける画素階調値Ｇ（Ｍ＋１）と、その１つ前のフレームにおける画素階調値Ｇ（Ｍ）により、動的補正ルックアップテーブル４３９を参照することにより、動的補正階調値Ｇｃ（Ｍ＋１）を得る。
ステップ５２２では、１つ前のフレームと２つ前のフレームとから得られた比較結果値Ｄ（Ｍ）と、静的オーバードライブ階調値Ｇｓ（Ｍ＋１）と、動的補正階調値Ｇｃ（Ｍ＋１）を用いて、オーバードライブ階調値Ｇｏｄ（Ｍ＋１）を得る。以上により、本フローは終了する。ここで、Ｇｏｄ（Ｍ＋１）＝Ｇｓ（Ｍ＋１）＋Ｄ（Ｍ）Ｇｃ（Ｍ＋１）である。
【００３１】
図５Ｃは、図５のオーバードライブ方法の第３の詳細フローチャートである。この第３の詳細フローチャートは、図４Ｃに示すオーバードライブ装置の動作フローを示すものである。
ステップ５０２では、次に表示するフレームの１つ前のフレームにおける画素階調値Ｇ（Ｍ）と、２つ前のフレームの画素階調値Ｇ（Ｍ−１）を用いて階調値差（Ｇ（Ｍ）−Ｇ（Ｍ−１））を得る。
ステップ５０４では、階調値差（Ｇ（Ｍ）−Ｇ（Ｍ−１））に基づき、対応する階調値の範囲を判定することにより、比較結果値Ｄ（Ｍ）を得る。図４Ｄに示すように、階調差の値（Ｇ（Ｍ）−Ｇ（Ｍ−１））に対応する階調値範囲Ｉ〜Ｖに基づき、対応する比較結果値Ｄ（Ｍ）＝１、２、０、３、４を得る。
ステップ５２４では、１つ前のフレームと２つ前のフレームとから得られた比較結果値Ｄ（Ｍ）と、次に表示するフレームにおける画素階調値Ｇ（Ｍ＋１）と、１つ前のフレームにおける画素階調値Ｇ（Ｍ）を用い、三次元オーバードライブ・ルックアップテーブル４５２を参照することにより、オーバードライブ階調値Ｇｏｄ（Ｍ＋１）を取得する。以上により、本フローは終了する。
【００３２】
図５Ｄは、図５のオーバードライブ方法の第４の詳細フローチャートである。この第４の詳細フローチャートは、図４Ｅに示すオーバードライブ装置の動作フローを示すものである。
ステップ５０２では、次に表示するフレームの１つ前のフレームにおける画素階調値Ｇ（Ｍ）と、２つ前のフレームにおける画素階調値Ｇ（Ｍ−１）を用いて、階調値差（Ｇ（Ｍ）−Ｇ（Ｍ−１））を得る。
ステップ５０４では、階調値差（Ｇ（Ｍ）−Ｇ（Ｍ−１））に基づき、対応する階調値の範囲を判定することにより、比較結果値Ｄ（Ｍ）を得る。図４Ｄに示すように、階調差の値（Ｇ（Ｍ）−Ｇ（Ｍ−１））に対応する階調値範囲Ｉ〜Ｖに基づき、対応する比較結果値Ｄ（Ｍ）＝１、２、０、３、４を得る。
ステップ５２６では、次に表示するフレームにおける画素階調値Ｇ（Ｍ＋１）と、その１つ前のフレームにおける画素階調値Ｇ（Ｍ）を用い、静的オーバードライブ・ルックアップテーブル４６２を参照することにより、静的オーバードライブ階調値Ｇｓ（Ｍ＋１）を得る。
ステップ５２８では、１つ前のフレームと２つ前のフレームとから得られた比較結果値Ｄ（Ｍ）と、次に表示するフレームにおける画素階調値Ｇ（Ｍ＋１）と、その１つ前のフレームにおける画素階調値Ｇ（Ｍ）に基づき、三次元動的補正ルックアップテーブル４７２を参照することにより、動的補正階調値Ｇｃ（Ｍ＋１）を得る。
ステップ５３０では、静的オーバードライブ階調値Ｇｓ（Ｍ＋１）と動的補正階調値Ｇｃ（Ｍ＋１）との和を算出することにより、オーバードライブ階調値Ｇｏｄ（Ｍ＋１）を得る。ここで、画素階調値Ｇ（Ｍ）および画素階調値Ｇ（Ｍ−１）の差の絶対値が臨界階調値ｘ未満であったときは、動的補正階調値Ｇｃ（Ｍ＋１）は０となる。以上により、本フローは終了する。
【００３３】
（第２実施形態）
図６Ａは、本発明の第２実施形態に基づくオーバードライブ装置６００の構造を示すブロック図である。解像度がＩ×Ｊである液晶ディスプレイを例にとると、オーバードライブ装置６００は、（Ｍ＋１）番目のフレームにおける（ｉ、ｊ）番目の画素の画素階調値Ｇ（Ｍ＋１、ｉ、ｊ）を入力し、（Ｍ＋１）番目のフレームにおける（ｉ、ｊ）番目の画素のオーバードライブ階調値Ｇｏｄ（Ｍ＋１、ｉ、ｊ）を出力する。ここで、１≦ｉ≦Ｉであり、１≦ｊ≦Ｊである。
オーバードライブ装置６００は、メモリユニット６２０と、オーバードライブ・ルックアップユニット６３０を備えている。メモリユニット６２０は、（Ｍ＋１）番目のフレームにおける（ｉ、ｊ）番目の画素の画素階調値Ｇ（Ｍ＋１、ｉ、ｊ）を記憶する。Ｍ番目のフレームの画素階調値｛Ｇ（Ｍ、ｉ、ｊ）｜ｉ＝１〜Ｉ、ｊ＝１〜Ｊ｝はフレームメモリ６２２に記憶される。一方、（Ｍ−１）番目のフレームは、別のフレームメモリ６２４に記憶される。以下、発明の内容をより簡潔に記述するために（ｉ、ｊ）の表記を省略する。
【００３４】
オーバードライブ・ルックアップユニット６３０は、メモリユニット６２０に接続されており、次に表示するフレーム、例えば（Ｍ＋１）番目のフレームの画素階調値Ｇ（Ｍ＋１）と、その１つ前のフレームにおける画素階調値Ｇ（Ｍ）と、２つ前のフレームの画素階調値Ｇ（Ｍ−１）に基づき、三次元オーバードライブ・ルックアップテーブル６３２を参照することにより、オーバードライブ階調値Ｇｏｄ（Ｍ＋１）を液晶ディスプレイパネル６４０に出力する。
【００３５】
図６Ｂに示すように、８ビットを例にとると、三次元オーバードライブ・ルックアップテーブル６３２は、Ｘ軸の２５６個のＧ（Ｍ−１）の値（０〜２５５）と、Ｙ軸の２５６個のＧ（Ｍ）の値（０〜２５５）と、Ｚ軸の２５６個のＧ（Ｍ＋１）の値（０〜２５５）から構成されている。各座標点（ｘ、ｙ、ｚ）には、次に表示するフレームにおける画素階調値Ｇ（Ｍ＋１）であり、その１つ前のフレームにおける画素階調値Ｇ（Ｍ）であり、２つ前のフレームの画素階調値Ｇ（Ｍ−１）である場合に、必要とされるオーバードライブ階調値が記述されている。
【００３６】
なお、図６Ｃに示すように、オーバードライブ・ルックアップユニット６３０は、静的オーバードライブユニット６３４と動的補正ユニット６３６を備えてもよい。静的オーバードライブユニット６３４は、次に表示するフレームの画素階調値Ｇ（Ｍ＋１）とその１つ前のフレームの画素階調値Ｇ（Ｍ）に基づき、静的オーバードライブ・ルックアップテーブル６３５を参照することにより、静的オーバードライブ階調値Ｇｓ（Ｍ＋１）を出力する。動的補正ユニット６３６は、次に表示するフレームの画素階調値Ｇ（Ｍ＋１）と、その１つ前のフレームの画素階調値Ｇ（Ｍ）と、２つ前のフレームの画素階調値Ｇ（Ｍ−１）に基づき、三次元動的補正ルックアップテーブル６３７を参照して動的補正階調値Ｇｃ（Ｍ＋１）を取得し、静的オーバードライブ階調値Ｇｓ（Ｍ＋１）を補正し、必要なオーバードライブ階調値Ｇｏｄ（Ｍ＋１）（＝Ｇｓ（Ｍ＋１）＋Ｇｃ（Ｍ＋１））を出力する。ここで三次元動的補正ルックアップテーブル６３７は、上記の三次元オーバードライブ・ルックアップテーブル６３２と似ているが、異なる点は、三次元動的補正ルックアップテーブル６３７の各座標点（ｘ、ｙ、ｚ）には、次に表示するフレームにおける画素階調値がＧ（Ｍ＋１）であり、その１つ前のフレームにおける画素階調値がＧ（Ｍ）であり、２つ前のフレームの画素階調値がＧ（Ｍ−１）である場合に、必要とされる静的オーバードライブ階調値Ｇｓ（Ｍ＋１）の補正量を記述している点である。
【００３７】
図６Ｄは、第２実施形態に基づくオーバードライブ方法のフローチャートである。ステップ６００において、次に表示するフレームの画素階調値Ｇ（Ｍ＋１）と、その１つ前のフレームの画素階調値Ｇ（Ｍ）と、２つ前のフレームの画素階調値Ｇ（Ｍ−１）に基づき、三次元オーバードライブ・ルックアップテーブル６３２を直接参照することにより、必要なオーバードライブ階調値Ｇｏｄ（Ｍ＋１）を取得する。以上により、本フローを終了する。
図６Ｅは、第２実施形態に基づく他のオーバードライブ方法を示している。図６Ｅに示すフローは、図６Ｃに示すオーバードライブ装置の動作フローを示すものである。
ステップ６１０では、次に表示するフレームにおける画素階調値Ｇ（Ｍ＋１）と、その１つ前のフレームにおける画素階調値Ｇ（Ｍ）に基づき、静的オーバードライブ・ルックアップテーブル６３５を参照することにより、静的オーバードライブ階調値Ｇｓ（Ｍ＋１）を得る。
ステップ６２０では、次に表示するフレームにおける画素階調値Ｇ（Ｍ＋１）と、その１つ前のフレームにおける画素階調値Ｇ（Ｍ）と、２つ前のフレームにおける画素階調値Ｇ（Ｍ−１）に基づき、三次元動的補正ルックアップテーブル６３７を参照することにより、動的補正階調値Ｇｃ（Ｍ＋１）を得る。
ステップ６３０では、静的オーバードライブ階調値Ｇｓ（Ｍ＋１）と動的補正階調値Ｇｃ（Ｍ＋１）との和を算出することにより、対応するオーバードライブ階調値Ｇｏｄ（Ｍ＋１）を得る。
【００３８】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
本明細書または図面に説明した技術要素は、単独であるいは各種の組み合わせによって技術的有用性を発揮するものであり、出願時の請求項に記載の組み合わせに限定されるものではない。また、本明細書または図面に例示した技術は複数の目的を同時に達成するものであり、そのうちの一つの目的を達成すること自体で技術的有用性を持つものである。
【図面の簡単な説明】
【００３９】
【図１Ａ】画素輝度の応答が遅い従来の液晶ディスプレイにおける画素階調変化と画素輝度変化との対照図である。
【図１Ｂ】従来のオーバードライブ方式により画素輝度応答時間を短縮したときの画素階調変化と画素輝度変化との対照図である。
【図２Ａ】従来の液晶ディスプレイのオーバードライブ装置の構造ブロック図である。
【図２Ｂ】従来のオーバードライブ・ルックアップテーブルの概略図である。
【図３Ａ】直前の２つのフレームの画素階調値が異なる場合に、静的オーバードライブ方式を使用したときの画素階調変化と画素輝度変化との対照図である。
【図３Ｂ】直前の２つのフレームの画素階調値が異なる場合に、新たなオーバードライブ階調値を用いてよりよい画素輝度変化を得たときの画素階調変化と画素輝度変化との対照図である。
【図４Ａ】本発明の第１実施形態に基づく１つのオーバードライブ装置の構造ブロック図である。
【図４Ｂ】本発明の第１実施形態に基づく一変形例のオーバードライブ選択ユニットを備えたオーバードライブ装置の構造ブロック図である。
【図４Ｃ】本発明の第１実施形態に基づく一変形例のオーバードライブ選択ユニットを備えたオーバードライブ装置の構造ブロック図である。
【図４Ｄ】本発明の第１実施形態に基づく次に表示するフレームの１つ前のフレームと２つ前のフレームとの画素階調値の異同を、５つの階調値範囲に区分することを示す概略図である。
【図４Ｅ】本発明の第１実施形態に基づく一変形例のオーバードライブ選択ユニットを備えたオーバードライブ装置の構造ブロック図である。
【図５】本発明の第１実施形態に基づくオーバードライブ方法のフローチャートである。
【図５Ａ】図５のオーバードライブ方法の第１の詳細フローチャートである。
【図５Ｂ】図５のオーバードライブ方法の第２の詳細フローチャートである。
【図５Ｃ】図５のオーバードライブ方法の第３の詳細フローチャートである。
【図５Ｄ】図５のオーバードライブ方法の第４の詳細フローチャートである。
【図６Ａ】本発明の第２実施形態に基づくオーバードライブ装置の構造ブロック図である。
【図６Ｂ】三次元オーバードライブ・ルックアップテーブルの概略図である。
【図６Ｃ】本発明の第２実施形態に基づく一変形例のオーバードライブ装置の構造ブロック図である。
【図６Ｄ】本発明の第２実施形態に基づくオーバードライブ方法のフローチャートである。
【図６Ｅ】本発明の第２実施形態に基づく一変形例のオーバードライブ方法のフローチャートである。
【符号の説明】
【００４０】
２００、４００、６００：オーバードライブ装置
２１０：制御ユニット
２２０、６２２、６２４：フレームメモリ
２３０、４３１、４５０、４６０、６３０：オーバードライブ・ルックアップユニット
２３２：オーバードライブ・ルックアップテーブル
２４０、４４０、６４０：液晶ディスプレイパネル
４２０、６２０：メモリユニット
４３０：オーバードライブ選択ユニット
４３２：比較ユニット
４３３、４７０：選択補正ユニット
４３４：動的記録ユニット
４３５、４３８、４６２、６３５：静的オーバードライブ・ルックアップテーブル
４３６：選択ルックアップユニット
４３７：動的オーバードライブ・ルックアップテーブル
４３９：動的補正ルックアップテーブル
４５２、６３２：三次元オーバードライブ・ルックアップテーブル
６３４：静的オーバードライブユニット
６３６：動的補正ユニット
４７２、６３７：三次元動的補正ルックアップテーブル
【図１Ａ】
2006243729.tif 000003
【図１Ｂ】
2006243729.tif 000004
【図２Ａ】
2006243729.tif 000005
【図２Ｂ】
2006243729.tif 000006
【図３Ａ】
2006243729.tif 000007
【図３Ｂ】
2006243729.tif 000008
【図４Ａ】
2006243729.tif 000009
【図４Ｂ】
2006243729.tif 000010
【図４Ｃ】
2006243729.tif 000011
【図４Ｄ】
2006243729.tif 000012
【図４Ｅ】
2006243729.tif 000013
【図５】
2006243729.tif 000014
【図５Ａ】
2006243729.tif 000015
【図５Ｂ】
2006243729.tif 000016
【図５Ｃ】
2006243729.tif 000017
【図５Ｄ】
2006243729.tif 000018
【図６Ａ】
2006243729.tif 000019
【図６Ｂ】
2006243729.tif 000020
【図６Ｃ】
2006243729.tif 000021
【図６Ｄ】
2006243729.tif 000022
【図６Ｅ】
2006243729.tif 000023